(57)【要約】【課題】電子メールの文字入力に関する操作性を改善すること。【解決手段】１つの態様において、宛先、件名および本文の入力欄を有するメールを送信する通信装置であって、宛先の入力欄に対して入力された文字群、もしくは件名の入力欄に対して入力された文字群が所定の条件を満足する場合、文字群を本文の入力欄に移動させるコントローラを備える。通信装置は、所定の条件を満足する場合、メールの本文として推定される文字群が、メールの宛先又は件名の入力欄に入力されたものと判断し、入力された文字群を本文の入力欄に移動させる。【選択図】図１
2017004107.tif 000002
【特許請求の範囲】
【請求項１】
宛先、件名および本文の入力欄を有するメールを送信する通信装置であって、
前記宛先の入力欄に対して入力された文字群、もしくは前記件名の入力欄に対して入力された文字群が所定の条件を満足する場合、前記文字群を前記本文の入力欄に移動させるコントローラを備える通信装置。
【請求項２】
前記コントローラは、
前記宛先の入力欄もしくは前記件名の入力欄に対して、所定の文字数以上で構成される文字群が入力された場合、当該文字群を前記本文の入力欄に移動させる請求項１に記載の通信装置。
【請求項３】
前記コントローラは、
前記宛先の入力欄もしくは前記件名の入力欄に対して句読点が入力された場合、前記文字群を前記本文の入力欄に移動させる請求項１または２に記載の通信装置。
【請求項４】
前記コントローラは、
前記宛先の入力欄もしくは前記件名の入力欄に対して改行が入力された場合、前記文字群を前記本文の入力欄に移動させる請求項１から３のいずれか１つに記載の通信装置。
【請求項５】
前記コントローラは、
前記本文の入力欄が空欄の状態のままで送信の操作が行われた場合、前記文字群を前記本文の入力欄に移動させる請求項１から４のいずれか１つに記載の通信装置。
【請求項６】
前記コントローラは、
前記文字群を前記本文の入力欄に移動させる前に、利用者に対して移動の可否を問い合わせるための報知を実行する請求項１から５のいずれか１つに記載の通信装置。
【請求項７】
宛先、件名および本文の入力欄を有するメールを送信する通信装置により実行される制御方法であって、
前記宛先の入力欄に対して入力された文字群、もしくは前記件名の入力欄に対して入力された文字群が所定の条件を満足するかを判定するステップと、
前記所定の条件を満足する場合には、前記文字群を前記本文の入力欄に移動させるステップと
を含む制御方法。
【請求項８】
宛先、件名および本文の入力欄を有するメールを送信する通信装置に、
前記宛先の入力欄に対して入力された文字群、もしくは前記件名の入力欄に対して入力された文字群が所定の条件を満足するかを判定するステップと、
前記所定の条件を満足する場合には、前記文字群を前記本文の入力欄に移動させるステップと
を実行させる制御プログラム。
【発明の詳細な説明】
【技術分野】
【０００１】
本出願は、通信装置、制御方法及び制御プログラムに関する。
【背景技術】
【０００２】
従来、電子メールの作成画面は、宛先の入力欄、件名の入力欄、本文の入力欄をそれぞれ個別に設けている。各入力欄には入力可能な文字数が設定されている。宛先の入力欄および件名の入力欄に設定される文字数は少ない場合が多い。
【先行技術文献】
【特許文献】
【０００３】
【特許文献１】特開２０１０−１０８０１９号公報
【発明の概要】
【発明が解決しようとする課題】
【０００４】
利用者が、宛先の入力欄に件名を入力したり、件名の入力欄に本文を入力したりするなどの誤った入力を行う場合がある。
【課題を解決するための手段】
【０００５】
１つの態様に係る通信装置は、宛先、件名および本文の入力欄を有するメールを送信する通信装置であって、前記宛先の入力欄に対して入力された文字群、もしくは前記件名の入力欄に対して入力された文字群が所定の条件を満足する場合、前記文字群を前記本文の入力欄に移動させるコントローラを備える。
【０００６】
１つの態様に係る制御方法は、宛先、件名および本文の入力欄を有するメールを送信する通信装置により実行される制御方法であって、前記宛先の入力欄に対して入力された文字群、もしくは前記件名の入力欄に対して入力された文字群が所定の条件を満足するかを判定するステップと、前記所定の条件を満足する場合には、前記文字群を前記本文の入力欄に移動させるステップとを含む。
【０００７】
１つの態様に係る制御プログラムは、宛先、件名および本文の入力欄を有するメールを送信する通信装置に、前記宛先の入力欄に対して入力された文字群、もしくは前記件名の入力欄に対して入力された文字群が所定の条件を満足するかを判定するステップと、前記所定の条件を満足する場合には、前記文字群を前記本文の入力欄に移動させるステップとを実行させる。
【図面の簡単な説明】
【０００８】
【図１】図１は、実施形態に係る通信装置の機能構成を示すブロック図である。
【図２】図２は、実施形態に係る通信装置による制御の例を示す図である。
【図３】図３は、実施形態に係る通信装置による制御の例を示す図である。
【図４】図４は、実施形態に係る通信装置の処理の流れを示すフローチャートである。
【図５】図５は、実施形態に係る通信装置の処理の流れを示すフローチャートである。
【発明を実施するための形態】
【０００９】
本出願に係る通信装置、制御方法及び制御プログラムを実施するための複数の実施形態を、図面を参照しつつ詳細に説明する。
【００１０】
図１を参照しつつ、実施形態に係る通信装置の機能構成の一例を説明する。図１は、実施形態に係る通信装置の機能構成を示すブロック図である。以下の説明において、同様の構成要素について同一の符号を付すことがある。さらに、重複する説明は省略することがある。
【００１１】
図１に示すように、通信装置１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６とを備える。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重なって位置してもよいし、並んで位置してもよいし、離れて位置してもよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。ディスプレイ２Ａが表示する文字、画像、記号、及び図形等を含む画面には、ロック画面と呼ばれる画面、ホーム画面と呼ばれる画面、アプリケーションの実行中に表示されるアプリケーション画面が含まれる。ホーム画面は、デスクトップ、待受画面、アイドル画面、標準画面、アプリ一覧画面又はランチャー画面と呼ばれることもある。
【００１４】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。タッチスクリーン２Ｂが検出する複数の指、ペン、及びスタイラスペン等は、「指」と表記する場合がある。タッチスクリーン２Ｂが検出した指が接触又は近接した位置を「検出位置」と表記する場合がある。タッチスクリーン２Ｂは、タッチスクリーン２Ｂに対する指の接触を、検出位置とともにコントローラ１０に通知する。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１５】
タッチスクリーン２Ｂは、検出方式として、静電容量方式、抵抗膜方式、表面弾性波方式（又は超音波方式）、赤外線方式、電磁誘導方式、及び荷重検出方式等の任意の方式を採用してよい。
【００１６】
コントローラ１０は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。コントローラ１０が行える動作を、コントローラ１０を有する通信装置１は実行できる。言い換えると、コントローラ１０が行う動作は、通信装置１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
ボタン３は、利用者からの操作入力を受け付ける。ボタン３の数は、単数であっても、複数であってもよい。
【００１８】
照度センサ４は、照度を検出する。照度は、照度センサ４の測定面の単位面積に入射する光束の値である。照度センサ４は、例えば、ディスプレイ２Ａの輝度の調整に用いられる。
【００１９】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２０】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００２１】
レシーバ７は、音出力部の一例である。レシーバ７は、コントローラ１０から送信される音信号を音として出力する。レシーバ７は、例えば、通信装置１にて再生される動画の音、音楽の音、及び通話時の相手の声を出力することができる。マイク８は、音入力部の一例である。マイク８は、利用者の声等を音信号へ変換してコントローラ１０へ送信する。
【００２２】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する制御プログラム（図示略）とが含まれる。アプリケーションの画面は、例えば、フォアグランドで実行される場合に、ディスプレイ２Ａに表示される。制御プログラムには、例えば、ＯＳが含まれる。アプリケーション及び基本プログラムは、通信ユニット６による無線通信又は非一過的な記憶媒体を介してストレージ９にインストールされてもよい。
【００２４】
ストレージ９は、制御プログラム９Ａ、メールアプリケーション９Ｂ、電話アプリケーション９Ｃ、及び設定データ９Ｚなどを記憶する。
【００２５】
制御プログラム９Ａは、メールアプリケーション９Ｂにより提供される機能と連携して、宛先の入力欄に対して入力された文字群、もしくは件名の入力欄に対して入力された文字群が所定の条件を満足する場合、文字群を本文の入力欄に移動させる機能を提供できる。例えば、制御プログラム９Ａは、宛先の入力欄もしくは件名の入力欄に対して、所定の文字数以上で構成される文字群が入力された場合に、当該文字群を前記本文の入力欄に移動させる機能を提供できる。例えば、制御プログラム９Ａは、宛先の入力欄もしくは件名の入力欄に対して句読点が入力された場合に、文字群を本文の入力欄に移動させる機能を提供できる。例えば、制御プログラム９Ａは、宛先の入力欄もしくは件名の入力欄に対して改行が入力された場合に、文字群を本文の入力欄に移動させる機能を提供できる。例えば、制御プログラム９Ａは、本文の入力欄が空欄の状態のままで送信の操作が行われた場合に、文字群を本文の入力欄に移動させる機能を提供できる。例えば、制御プログラム９Ａは、文字群を本文の入力欄に移動させる前に、利用者に対して移動の可否を問い合わせるための報知を実行する機能を提供できる。
【００２６】
メールアプリケーション９Ｂは、電子メールの作成、送信、受信、及び表示等のための電子メール機能を提供する。本実施形態において、メールアプリケーション９Ｂは、制御プログラム９Ａと連携して処理を実行する。電話アプリケーション９Ｃは、無線通信による通話のための通話機能を提供する。
【００２７】
設定データ９Ｚは、制御プログラム９Ａなどにより提供される機能に基づいて実行される処理、及びメールアプリケーション９Ｂなどにより提供される機能に基づいて実行される処理に用いられる各種データを含んで構成される。設定データ９Ｚは、自機が水に浸かったと推定するための気圧の変化に関するデータを含む。設定データ９Ｚは、宛先の入力欄、もしくは件名の入力欄に対して入力された文字群を、本文の入力欄に移動させる条件を含む。
【００２８】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、通信装置１の動作を統括的に制御して各種の機能を実現する。
【００２９】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、及び方位センサ１６を含むが、これらに限定されない。
【００３０】
コントローラ１０は、制御プログラム９Ａを実行することにより、メールアプリケーション９Ｂにより提供される機能と連携して、宛先の入力欄に対して入力された文字群、もしくは件名の入力欄に対して入力された文字群が所定の条件を満足する場合、文字群を本文の入力欄に移動させる処理を実現する。以下、図２及び図３を参照しつつ、コントローラ１０により実行される通信装置１の制御の例を説明する。図２及び図３は、実施形態に係る通信装置による制御の例を示す図である。
【００３１】
図２に示すように、通信装置１は、電子メールの編集画面５１をディスプレイ２Ａに表示する（ステップＳ１１）。通信装置１は、編集画面５１において件名の選択を受け付けると、件名入力画面５２をディスプレイ２Ａに表示する（ステップＳ１２）。ステップＳ１２において、通信装置１は、件名入力画面５２に対する文字入力を受け付ける。
【００３２】
続いて、通信装置１は、所定の条件を満足する場合、件名入力画面５２の入力欄に入力された文字群を本文入力画面５３の入力欄に移動する（ステップＳ１３）。例えば、通信装置１は、宛先の入力欄もしくは件名の入力欄に対して、所定の文字数以上で構成される文字群が入力された場合、当該文字群を前記本文の入力欄に移動する。あるいは、通信装置１は、宛先の入力欄もしくは前記件名の入力欄に対して句読点が入力された場合、文字群を本文の入力欄に移動させる。あるいは、通信装置１は、宛先の入力欄もしくは件名の入力欄に対して改行が入力された場合、文字群を本文の入力欄に移動する。あるいは、通信装置１は、本文の入力欄が空欄の状態のままで送信の操作が行われた場合、文字群を本文の入力欄に移動する。このように、通信装置１は、上記所定の条件を満足する場合、メールの本文として推定される文字群が、メールの宛先又は件名の入力欄に入力されたものと判断し、入力された文字群を本文の入力欄に移動させる。このようなことから、メールの作成に不慣れな利用者が、メールの宛先又は件名の入力欄にメールの本文を誤入力してしまう事象に対して適切な対応を実施できる。
【００３３】
図３は、上記図２に示す制御の例において、宛先の入力欄もしくは件名の入力欄に入力された文字群を本文の入力欄に移動させる前に、利用者に対して移動の可否を問い合わせるための報知を実行する場合を示す。図３に示すように、通信装置１は、電子メールの編集画面５１をディスプレイ２Ａに表示する（ステップＳ２１）。通信装置１は、編集画面５１において件名の選択を受け付けると、件名入力画面５２をディスプレイ２Ａに表示する（ステップＳ２２）。ステップＳ２２において、通信装置１は、件名入力画面５２に対する文字入力を受け付ける。
【００３４】
続いて、通信装置１は、所定の条件を満足する場合、件名入力画面５２の入力欄に入力された文字群を本文入力画面５３の入力欄に移動する前に、入力された文字群を本文の入力欄へ移動させるかを問い合わせる問合せメッセージＭ１をディスプレイ２Ａに表示する（ステップＳ２３）。通信装置１は、移動が許可された場合、当該文字群を本文の入力欄へ移動する（ステップＳ２４）。通信装置１は、移動が許可されなかった場合、件名入力画面５２に戻る。
【００３５】
図２及び図３に示す例は、通信装置１が件名入力画面５２の入力欄に入力された文字群を本文入力画面５３の入力欄に移動する制御を示すが、宛先入力欄への文字入力があった際にも同様の制御を実行できる。
【００３６】
スピーカ１１は、音出力部を含む。スピーカ１１は、コントローラ１０から送信される音信号を音として出力する。スピーカ１１は、例えば、着信音及び音楽を出力してもよい。レシーバ７及びスピーカ１１の一方が、他方の機能を兼ねてもよい。
【００３７】
カメラ１２及びカメラ１３は、撮影した画像を電気信号へ変換できる。カメラ１２は、ディスプレイ２Ａに面している物体を撮影するインカメラでもよい。カメラ１３は、ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態で通信装置１に実装されてもよい。
【００３８】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００３９】
加速度センサ１５は、通信装置１に作用する加速度の方向及び大きさを検出する。方位センサ１６は、例えば、地磁気の向きを検出し、地磁気の向きに基づいて、通信装置１の向き（方位）を検出する。
【００４０】
通信装置１は、上記の各機能部の他、ＧＰＳ受信機、及びバイブレータを備えてもよい。ＧＰＳ受信機は、ＧＰＳ衛星からの所定の周波数帯の電波信号を受信できる。ＧＰＳ受信機は、受信した電波信号の復調処理を行って、処理後の信号をコントローラ１０に送出する。ＧＰＳ受信機は、通信装置１の現在位置の演算処理をサポートする。バイブレータは、通信装置１の一部又は全体を振動させる。バイブレータは、振動を発生させるために、例えば、圧電素子、又は偏心モータなどを有する。バッテリなど、通信装置１の機能を維持するために当然に用いられる機能部、及び通信装置１の制御を実現するために当然に用いられる制御部は、通信装置１に実装される。
【００４１】
図４及び図５を参照しつつ、実施形態に係る通信装置１により実行される処理の流れを説明する。図４及び図５は、実施形態に係る通信装置の処理の流れを示すフローチャートである。図４及び図５に示す処理は、コントローラ１０が、ストレージ９に記憶されている制御プログラム９Ａを実行することにより実現される。
【００４２】
図４に示すように、コントローラ１０は、メールアプリケーション９Ｂの実行中であるかを判定する（ステップＳ１０１）。
【００４３】
コントローラ１０は、判定の結果、メールアプリケーション９Ｂの実行中である場合（ステップＳ１０１，Ｙｅｓ）、宛先または件名の入力欄に文字入力があるかを判定する（ステップＳ１０２）。
【００４４】
コントローラ１０は、判定の結果、宛先または件名の入力欄に文字入力がない場合（ステップＳ１０２，Ｎｏ）、上記ステップＳ１０１の判定に戻る。
【００４５】
一方、コントローラ１０は、判定の結果、宛先または件名の入力欄に文字入力がある場合（ステップＳ１０２，Ｙｅｓ）、宛先または件名の入力欄に入力された入力文字群を取得する（ステップＳ１０３）。
【００４６】
続いて、コントローラ１０は、ステップＳ１０３で取得した入力文字群が所定の文字数以上であるかを判定する（ステップＳ１０４）。
【００４７】
コントローラ１０は、判定の結果、入力文字群が所定の文字数以上である場合（ステップＳ１０４，Ｙｅｓ）、入力文字群を本文の入力欄へ移動する（ステップＳ１０５）。
【００４８】
続いて、コントローラ１０は、電子メールの送信操作を受け付けたかを判定する（ステップＳ１０６）。
【００４９】
コントローラ１０は、判定の結果、電子メールの送信操作を受け付けていない場合（ステップＳ１０６，Ｎｏ）、上記ステップＳ１０６の判定を繰り返す。
【００５０】
一方、コントローラ１０は、判定の結果、電子メールの送信操作を受け付けた場合（ステップＳ１０６，Ｙｅｓ）、本文の入力欄が空欄であるかを判定する（ステップＳ１０７）。
【００５１】
コントローラ１０は、判定の結果、本文の入力欄が空欄ではない場合（ステップＳ１０７，Ｎｏ）、宛先の入力済みかを判定する（ステップＳ１０８）。
【００５２】
コントローラ１０は、判定の結果、宛先の入力が済んでいる場合（ステップＳ１０８，Ｙｅｓ）、送信処理を実行して（ステップＳ１０９）、図４に示す処理を終了する。
【００５３】
ステップＳ１０８において、コントローラ１０は、判定の結果、宛先の入力が済んでいない場合（ステップＳ１０８，Ｎｏ）、宛先の入力を要求するメッセージを表示し（ステップＳ１１０）、ステップＳ１０８の判定に戻る。
【００５４】
ステップＳ１０７において、コントローラ１０は、判定の結果、本文の入力欄が空欄である場合（ステップＳ１０７，Ｙｅｓ）、入力文字群を本文の入力欄に移動し（ステップＳ１１１）、ステップＳ１０８の判定に移る。
【００５５】
ステップＳ１０４において、コントローラ１０は、判定の結果、入力文字群が所定の文字数以上ではない場合（ステップＳ１０４，Ｎｏ）、入力文字群に句読点が含まれるかを判定する（ステップＳ１１２）。
【００５６】
コントローラ１０は、判定の結果、入力文字群に句読点が含まれる場合（ステップＳ１１２，Ｙｅｓ）、ステップＳ１０５の処理手順に移り、入力文字群を本文の入力欄へ移動する。
【００５７】
一方、コントローラ１０は、判定の結果、入力文字群に句読点が含まれない場合（ステップＳ１１２，Ｎｏ）、入力文字群に改行が含まれるかを判定する（ステップＳ１１３）。
【００５８】
コントローラ１０は、判定の結果、入力文字群に改行が含まれる場合（ステップＳ１１３，Ｙｅｓ）、ステップＳ１０５の処理手順に移り、入力文字群を本文の入力欄へ移動する。
【００５９】
一方、コントローラ１０は、判定の結果、入力文字群に改行が含まれない場合（ステップＳ１１３，Ｎｏ）、ステップＳ１０６の処理手順に移る。
【００６０】
ステップＳ１０１において、コントローラ１０は、判定の結果、メールアプリケーション９Ｂが実行中ではない場合（ステップＳ１０１，Ｎｏ）、図４に示す処理を終了する。
【００６１】
図５に示す処理は、ステップＳ２０５、ステップＳ２０６、ステップＳ２１３、並びにステップＳ２１４の処理手順を有する点が、図４に示す処理とは異なる。図５に示すように、コントローラ１０は、メールアプリケーション９Ｂの実行中であるかを判定する（ステップＳ２０１）。
【００６２】
コントローラ１０は、判定の結果、メールアプリケーション９Ｂの実行中である場合（ステップＳ２０１，Ｙｅｓ）、宛先または件名の入力欄に文字入力があるかを判定する（ステップＳ２０２）。
【００６３】
コントローラ１０は、判定の結果、宛先または件名の入力欄に文字入力がない場合（ステップＳ２０２，Ｎｏ）、上記ステップＳ２０１の判定に戻る。
【００６４】
一方、コントローラ１０は、判定の結果、宛先または件名の入力欄に文字入力がある場合（ステップＳ２０２，Ｙｅｓ）、宛先または件名の入力欄に入力された入力文字群を取得する（ステップＳ２０３）。
【００６５】
続いて、コントローラ１０は、ステップＳ２０３で取得した入力文字群が所定の文字数以上であるかを判定する（ステップＳ２０４）。
【００６６】
コントローラ１０は、判定の結果、入力文字群が所定の文字数以上である場合（ステップＳ２０４，Ｙｅｓ）、入力文字群を本文の入力欄へ移動させるかを問い合わせる問合せメッセージをディスプレイに表示する（ステップＳ２０５）。
【００６７】
続いて、コントローラ１０は、利用者により入力文字群の移動が許可されたかを判定する（ステップＳ２０６）。
【００６８】
コントローラ１０は、判定の結果、移動が許可された場合（ステップＳ２０６，Ｙｅｓ）、入力文字群を本文の入力欄へ移動する（ステップＳ２０７）。
【００６９】
続いて、コントローラ１０は、電子メールの送信操作を受け付けたかを判定する（ステップＳ２０８）。
【００７０】
コントローラ１０は、判定の結果、電子メールの送信操作を受け付けていない場合（ステップＳ２０８，Ｎｏ）、上記ステップＳ２０８の判定を繰り返す。
【００７１】
一方、コントローラ１０は、判定の結果、電子メールの送信操作を受け付けた場合（ステップＳ２０８，Ｙｅｓ）、本文の入力欄が空欄であるかを判定する（ステップＳ２０９）。
【００７２】
コントローラ１０は、判定の結果、本文の入力欄が空欄ではない場合（ステップＳ２０９，Ｎｏ）、宛先の入力済みかを判定する（ステップＳ２１０）。
【００７３】
コントローラ１０は、判定の結果、宛先の入力が済んでいる場合（ステップＳ２１０，Ｙｅｓ）、送信処理を実行して（ステップＳ２１１）、図５に示す処理を終了する。
【００７４】
ステップＳ２１０において、コントローラ１０は、判定の結果、宛先の入力が済んでいない場合（ステップＳ２１０，Ｎｏ）、宛先の入力を要求するメッセージを表示し（ステップＳ２１２）、ステップＳ２１０の判定に戻る。
【００７５】
ステップＳ２０９において、コントローラ１０は、判定の結果、本文の入力欄が空欄である場合（ステップＳ２０９，Ｙｅｓ）、入力文字群を本文の入力欄へ移動させるかを問い合わせる問合せメッセージをディスプレイに表示する（ステップＳ２１３）。
【００７６】
続いて、コントローラ１０は、利用者により入力文字群の移動が許可されたかを判定する（ステップＳ２１４）。
【００７７】
コントローラ１０は、判定の結果、移動が許可された場合（ステップＳ２１４，Ｙｅｓ）、入力文字群を本文の入力欄へ移動し（ステップＳ２１５）、ステップＳ２１０の判定に移る。
【００７８】
ステップＳ２１４において、コントローラ１０は、判定の結果、移動が許可されなかった場合（ステップＳ２１４，Ｎｏ）、ステップＳ２０９の判定に移る。
【００７９】
ステップＳ２０６において、コントローラ１０は、判定の結果、移動が許可されなかった場合（ステップＳ２０６，Ｎｏ）、ステップＳ２０８の判定に移る。
【００８０】
ステップＳ２０４において、コントローラ１０は、判定の結果、入力文字群が所定の文字数以上ではない場合（ステップＳ２０４，Ｎｏ）、入力文字群に句読点が含まれるかを判定する（ステップＳ２１４）。
【００８１】
コントローラ１０は、判定の結果、入力文字群に句読点が含まれる場合（ステップＳ２１４，Ｙｅｓ）、ステップＳ２０５の処理手順に移り、入力文字群を本文の入力欄へ移動する。
【００８２】
一方、コントローラ１０は、判定の結果、入力文字群に句読点が含まれない場合（ステップＳ２１４，Ｎｏ）、入力文字群に改行が含まれるかを判定する（ステップＳ２１５）。
【００８３】
コントローラ１０は、判定の結果、入力文字群に改行が含まれる場合（ステップＳ２１５，Ｙｅｓ）、ステップＳ２０５の処理手順に移り、入力文字群を本文の入力欄へ移動する。
【００８４】
一方、コントローラ１０は、判定の結果、入力文字群に改行が含まれない場合（ステップＳ２１５，Ｎｏ）、ステップＳ２０８の処理手順に移る。
【００８５】
ステップＳ２０１において、コントローラ１０は、判定の結果、メールアプリケーション９Ｂが実行中ではない場合（ステップＳ２０１，Ｎｏ）、図５に示す処理を終了する。
【００８６】
上記実施形態において、通信装置１は、所定の条件を満足する場合、メールの本文として推定される文字群が、メールの宛先又は件名の入力欄に入力されたものと判断し、入力された文字群を本文の入力欄に移動させる。このようなことから、メールの作成に不慣れな利用者が、メールの宛先又は件名の入力欄にメールの本文を誤入力してしまう事象に対して適切な対応を実施でき、電子メールの文字入力に関する操作性を改善できる。
【００８７】
上記の実施形態で説明した処理は、携帯電話、スマートフォン、タブレットなど、電子メールの送信が可能な通信機能を有する電子機器に適用できる。
【００８８】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００８９】
１  通信装置
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  電話アプリケーション
９Ｚ  設定データ
１０  コントローラ
１１  スピーカ
１２  カメラ
１３  カメラ
１４  コネクタ
１５  加速度センサ
１６  方位センサ
【図１】
2017004107.tif 000003
【図２】
2017004107.tif 000004
【図３】
2017004107.tif 000005
【図４】
2017004107.tif 000006
【図５】
2017004107.tif 000007